(57)【要約】【課題】  装着、脱着操作を、簡単、容易、確実にでき、使い勝手が良くなるよう形成したペット用の紙おむつを提供する。【解決手段】  ペット１の腹にあてがう腹当て部２と、尻にあてがう尻当て部３とを一体状に連続して形成する。腹当て部２の両側に、舌片状の接着部５を、接着面を腹当て部２の腹当て面と同じ側にして設ける。この接着部５と対応する尻当て部３の外面の位置を、被接着面６に形成する。また尻当て部３を、その後端から腹当て部２の側に向かって二つ割状に切り離すと共に、この一対の分割片３ａ、３ｂ同士の切り離し箇所７を接着自在に形成する。【選択図】      図１
2007135412.tif 000002
【特許請求の範囲】
【請求項１】
ペットの腹にあてがう腹当て部と、尻にあてがう尻当て部とが一体状に連続して形成されているペット用の紙おむつであって、上記の腹当て部の両側に、舌片状の接着部が接着面を腹当て部の腹当て面と同じ側にして設けられ、この接着部と対応する上記尻当て部の外面の位置が被接着面に形成され、また尻当て部が、その後端から腹当て部の側に向かって二つ割状に切り離されると共に、この一対の分割片同士の切り離し箇所が接着自在に形成されていることを特徴とするペット用の紙おむつ。
【請求項２】
請求項１記載のペット用の紙おむつであって、尻当て部の切り離し箇所の最深部に、ペットの尻尾を通すための孔が形成されていることを特徴とするペット用の紙おむつ。
【請求項３】
請求項１又は２記載のペット用の紙おむつであって、腹当て部と尻当て部との境の両側に、シャーリングが施されていることを特徴とするペット用の紙おむつ。
【発明の詳細な説明】
【技術分野】
【０００１】
本発明はペット用の紙おむつに関し、更に詳しくは簡単、容易に装着できるよう形成したペット用の紙おむつに関するものである。
【背景技術】
【０００２】
従来この種の紙おむつとしては、例えば四隅に孔を開け、この孔に紐を通し、紐を介してペットの胴回りに結わい付けるよう形成したものがある（例えば特許文献１参照）。
【０００３】
ところでこの種の紙おむつは、通常、四足動物の下肢に装着するため、着脱操作を簡単、迅速、確実にできるよう形成されているのが望ましい。
しかるに従来品は、上記の通り、隅の孔に紐を通してペットの胴回りに結わい付ける必要があったから、従来品によると、着脱操作が面倒で、使い勝手が悪い、という問題点があった。
【特許文献１】実用新案登録第３０６５７９４号公報
【発明の開示】
【発明が解決しようとする課題】
【０００４】
本発明は、このような従来品の問題点に鑑み、提案されたものである。
従って本発明の解決しようとする技術的課題は、装着、脱着操作を、簡単、容易、確実にでき、使い勝手が良くなるよう形成したペット用の紙おむつを提供することにある。
【課題を解決するための手段】
【０００５】
本発明は、上記の課題を解決するため、次のような技術的手段を採る。
即ち本発明は、ペット１の腹にあてがう腹当て部２と、尻にあてがう尻当て部３とが一体状に連続して形成されているペット用の紙おむつであって、上記の腹当て部２の両側に、舌片状の接着部５が接着面を腹当て部２の腹当て面と同じ側にして設けられ、この接着部５と対応する上記尻当て部３の外面の位置が被接着面６に形成され、また尻当て部３が、その後端から腹当て部２の側に向かって二つ割状に切り離されると共に、この一対の分割片３ａ、３ｂ同士の切り離し箇所７が接着自在に形成されていることを特徴とする（請求項１）。
【０００６】
本発明の場合、接着部５の接着面、尻当て部３の被接着面６は、通常、雄雌一対の面状ファスナーや、剥離自在の粘着テープ等で面状に形成される。接着部５の個数や大きさ、長さ等は自由である。尻当て部３の切り離し箇所７は、尻当て部３の後端の中央から腹当て部２の側に向かって、通常、各分割片３ａ、３ｂの大きさが同等になるよう形成される。但し、本発明はこれに限定されるものではなく、各分割片３ａ、３ｂの大きさを違えて尻当て部３が二つ割状に形成されているのでも良い。またここで、切り離し箇所７が接着自在に形成されている、とは、一対の分割片３ａ、３ｂ同士を、切り離し箇所７を介してくっつけたり離したりすることが自由にできる、ということを意味し、具体的には面状ファスナーや、剥離自在の粘着テープで切り離し箇所７を接着することで実現される。
【０００７】
また本発明は、尻当て部３の切り離し箇所７の最深部に、ペット１の尻尾１ａを通すための孔１０が形成されているのが好ましい（請求項２）。
なぜならこれによると、ペット１の尻尾１ａを孔１０に通して整然と始末でき、分割片３ａ、３ｂでペット１の尻をもらさず、覆うことができるからである。
【０００８】
また請求項１又は２記載の本発明は、腹当て部２と尻当て部３との境の両側に、シャーリング４が施されているのが好ましい（請求項３）。
なぜならこれによると、本発明品と、ペット１の足の付け根位置との密着度が高まり、尿漏れ等を確実に防止できるからである。
【発明の効果】
【０００９】
本発明は、このように腹当て部の両側に、舌片状の接着部を、接着面を腹当て部の腹当て面と同じ側にして設け、この接着部と対応する尻当て部の外面の位置を、被接着面に形成し、また尻当て部を、その後端から腹当て部の側に向かって二つ割状に切り離すと共に、この一対の分割片同士の切り離し箇所を接着自在に形成しているものである。
従って本発明は、尻当て部の分割片を、ペットの尻に交互にあてがって腹当て部と尻当て部とを一度に止め付けることができるから、これによれば、装着操作、脱着操作を、簡単、迅速、確実にでき、使い勝手が良くなる、という効果を奏する。
【発明を実施するための最良の形態】
【００１０】
以下、本発明を実施するための最良の形態を説明する。
図１等において、１は、例えばペットとしての犬である。２はペット１の腹にあてがう腹当て部であり、３は尻にあてがう尻当て部である。腹当て部２と尻当て部３とは、高吸水性樹脂材で、一体状に連続して形成されている。また腹当て部２と尻当て部３との境には、その両側に、シャーリング４が施されている
【００１１】
５は、舌片状の接着部である。この接着部５は、上記の腹当て部２の両側に、接着面を腹当て部２の腹当て面と同じ側にして、腹当て部２の両側に２個づつ設けられている。接着部５の接着面は、この実施形態では雄型の面状ファスナーで形成されている。
【００１２】
また本発明は、接着部５と対応する上記尻当て部３の外面の位置が、被接着面６に形成されている。この尻当て部３の被接着面６は、ペット１の体形に合わせて柔軟に止め位置を変更できるよう、面積の大きい雌型の面状ファスナーが尻当て部３の外面に貼られることにより形成されている。
【００１３】
また尻当て部３は、その後端から腹当て部２の側に向かって二つ割状に切り離されている。この尻当て部３の切り離し箇所７は、この実施形態では尻当て部３の後端の中央から腹当て部２の側に向かって、分割片３ａ、３ｂの大きさが同等になるよう、且つ分割片３ａ、３ｂが重合される状態に形成されている。また切り離された一対の分割片３ａ、３ｂ同士は、切り離し箇所７を介して接着自在に形成されている。具体的には、一方の分割片３ａの切り離し箇所７の側の縁に、面状ファスナー製の舌片状の第２接着部８が、一定の間隔をあけて計３個設けられている。そしてこの第２接着部８と対応する他方の分割片３ｂの外面の位置が、雌型の面状ファスナーで第２被接着面９に形成されている。この実施形態に係る本発明では、第２被接着面９と、尻当て部３の被接着面６とは、連続したシート状に形成されている。
【００１４】
１０は、ペット１の尻尾１ａを通すための孔である。この孔１０は、尻当て部３の切り離し箇所７の最深部に形成されている。また孔１０の周りには、尻尾１ａの太さや形状等がペット１によって異なる場合でも、尻尾１ａを確実に包み込んで装着できるよう、シャーリング４が施されている。
【００１５】
次に本発明の使用例を、図３〜図６等に従って説明する。
先ず使用者は、腹当て部２をペット１の腹にあてがい（図３参照）、次に他方の分割片３ｂをペット１の尻に被せる（図４参照）。そして例えばこの他方の分割片３ｂの被接着面６に腹当て部２の接着部５を止め付け、その後、図５に示されるように、一方の分割片３ａをペット１の尻に被せ、一方の分割片３ａの第２接着部８を、他方の分割片３ｂの外面の第２被接着面９に止め付ける。
そして使用者は、腹当て部２の他方側の接着部５を、一方の分割片３ａの外面の被接着面６に止め付ける。これにより、図６、図１Ａに示されるように、本発明品が、ペット１に装着される。なお本発明品を脱着して交換する場合は、上例と逆の手順で行う。
【図面の簡単な説明】
【００１６】
【図１】本発明の紙おむつの好適な一実施形態を示し、Ａは使用状態時の側面図、Ｂは平面図である。
【図２】同上紙おむつの斜視図である。
【図３】同上紙おむつの使用例を説明するための平面図である。
【図４】同上紙おむつの使用例を説明するための平面図である。
【図５】同上紙おむつの使用例を説明するための平面図である。
【図６】同上紙おむつの使用例を説明するための平面図である。
【符号の説明】
【００１７】
１      ペット
２      腹当て部
３      尻当て部
３ａ    一方の分割片
３ｂ    他方の分割片
４      シャーリング
５      接着部
６      被接着面
７      切り離し箇所
【図１】
2007135412.tif 000003
【図２】
2007135412.tif 000004
【図３】
2007135412.tif 000005
【図４】
2007135412.tif 000006
【図５】
2007135412.tif 000007
【図６】
2007135412.tif 000008